(57)【要約】【課題】下部ハウジングの共通化を実現し、生産効率の向上、生産コストの削減を達成する。加えて製品のシリーズ化に不可欠なデザインの統一化を容易にする。【解決手段】上記課題を解決するために本発明の排紙スタッカの保持ケーシングは開閉式排紙スタッカ３５と引出式排紙スタッカ５１の両方を選択して取り付けることのできる共通化された保持ケーシングであって、前記保持ケーシングには引出式排紙スタッカ５１の引出側後端部５５を保持する後端保持部４７が排紙ローラ２７より下流側に位置するように設けられており、後端保持部４７の天面の高さ位置は使用時における開閉式排紙スタッカ３５の回動基端部４１上面の高さ位置より低くならないように設定されている。また本発明の記録装置は下部ハウジング３３に対して上記保持ケーシングを適用した。【選択図】　　　　図４
2004059214.tif 000002
【特許請求の範囲】
【請求項１】
開閉式排紙スタッカと引出式排紙スタッカの両方を選択して取り付けることのできる共通化された記録装置用の保持ケーシングであって、
前記保持ケーシングには前記引出式排紙スタッカの引出側後端部を保持する後端保持部が、記録装置が備える排紙ローラより下流側に位置するように設けられており、
当該後端保持部の天面の高さ位置は、使用時における前記開閉式排紙スタッカの回動基端部上面の高さ位置より低くならないように設定されていることを特徴とする排紙スタッカの保持ケーシング。
【請求項２】
請求項１において、前記保持ケーシングに開閉式排紙スタッカを取り付けた場合には、前記後端保持部は、開閉式排紙スタッカの回動基端部より幾分上流側の位置に設けられていることを特徴とする排紙スタッカの保持ケーシング。
【請求項３】
請求項１または２において、前記保持ケーシングに引出式排紙スタッカを取り付けた場合には前記開閉式排紙スタッカの回動基端部を保持する回動基端保持部は引出式排紙スタッカの側端面より幾分外方の位置に設けられていることを特徴とする排紙スタッカの保持ケーシング。
【請求項４】
請求項１〜３のいずれか１項において、前記開閉式排紙スタッカ及び引出式排紙スタッカの最大伸長時におけるスタッカ先端の高さ位置はほぼ同じになるように設定されていることを特徴とする排紙スタッカの保持ケーシング。
【請求項５】
請求項１〜４のいずれか１項において、前記開閉式排紙スタッカの使用時における取付角度は回動基端部に当接する角度設定ストッパの作用位置を可変にすることによって調節自在に設定されていることを特徴とする排紙スタッカの保持ケーシング。
【請求項６】
給紙部と排紙部と実質的な記録作用をするプリンタ本体とを備える記録装置であって、前記プリンタ本体のハウジングの一部を構成する下部ハウジングに対して前記請求項１〜５のいずれか１項に記載の保持ケーシングを適用したことを特徴とする排紙スタッカの保持ケーシングを備えた記録装置。
【発明の詳細な説明】
【０００１】
【発明の属する技術分野】
本発明は、インクジェットプリンタなどの記録装置の下部ハウジングに適用できる排紙スタッカの保持ケーシング並びに該保持ケーシングを備えた記録装置に関するものである。
【０００２】
【従来の技術】
記録装置の排紙部にはプリンタ本体によって記録された用紙を受け取るために排紙スタッカが設けられている。
排紙スタッカには主に低コストタイプのインクジェットプリンタに多く採用されている引出式排紙スタッカと主に中級以上の機種に多く採用されている開閉式排紙スタッカとがある。
【０００３】
引出式排紙スタッカはプリンタ本体の下部ハウジングに形成されている案内レールによって保持案内され、用紙搬送方向下流側に引き出されるように構成されている。
また図８に示す如く、排紙ローラ１０１の下方には引出式排紙スタッカ１０３の引出側後端部１０５を保持し、引出式排紙スタッカ１０３の引出側先端部の傾倒を防止する後端保持部１０９が下部ハウジングに対して設けられている。
【０００４】
一方、開閉式排紙スタッカは排紙ローラの下流側近傍に開閉式排紙スタッカの回動基端部を保持する回動基端保持部が前記下部ハウジングの一部として設けられており、該回動基端保持部によって保持される回動軸を回動中心としてプリンタ本体の前面を覆う起立位置と、水平近くになるまで前方に倒伏される倒伏位置との間で回動し得る構成になっている。
【０００５】
尚、開閉式排紙スタッカには長尺用紙に対応できるよう、上記回動運動を行うスタッカ本体に対してさらに前方に伸長する延長スタッカが入れ子状に設けられている。
そして、このように構成を異にする二種の排紙スタッカに対応してこれらを保持する保持ケーシングとしての下部ハウジングの構造もそれぞれ別個に存在していた。
【０００６】
【発明が解決しようとする課題】
しかし、このように二種の排紙スタッカに対応して二種の下部ハウジングが別個独立して存在するということは機種切換時の部品交換等もあって生産効率の点でみると必ずしも好ましい形態ではなく、生産コストの増大を招く一つの要因となっていた。
また、低コストタイプから中級以上の機種に亘り、製品のシリーズ化を図る場合にはデザインの統一が不可欠となるが、上記異なる構造の二種の下部ハウジングの存在はこのデザインの統一化に対しても支障となっていた。
【０００７】
このような背景の下、下部ハウジングを引出式排紙スタッカと開閉式排紙スタッカの両方を取り付けることのできる共通化された構造にすることが考えられる。
【０００８】
しかし、引出式排紙スタッカと開閉式排紙スタッカの従来の取付位置をそのまま踏襲した場合には部材間の干渉が生じてしまう。また下部に排紙スタッカの収容スペースを拡大した場合にはプリンタ本体の高さが高くなり、重心が上がって重量バランスや使い勝手の点で問題が生じる。
【０００９】
また、開閉式排紙スタッカの取付位置を下流側に移動した場合には開閉式排紙スタッカの回動基端部と排紙ローラとの間に大きな空隙が生じ、排紙ローラから排紙された用紙の先端が上記回動基端部の端面に当接して用紙搬送に支障を来たすおそれがある。
【００１０】
本発明の目的は、下部ハウジングの共通化が可能になり、生産効率の向上、ひいては生産コストの削減が達成されると共に、該共通化によって排紙ローラから排紙された用紙の先端が当接して用紙搬送に支障を来たすおそれがない排紙スタッカの保持ケーシング並びに該保持ケーシングを備えた記録装置を提供することにある。
【００１１】
【課題を解決するための手段】
上記目的を達成するために本願請求項１に記載の発明に係る排紙スタッカの保持ケーシングは、開閉式排紙スタッカと引出式排紙スタッカの両方を選択して取り付けることのできる共通化された記録装置用の保持ケーシングであって、前記保持ケーシングには前記引出式排紙スタッカの引出側後端部を保持する後端保持部が、記録装置が備える排紙ローラより下流側に位置するように設けられており、当該後端保持部の天面の高さ位置は使用時における前記開閉式排紙スタッカの回動基端部上面の高さ位置より低くならないように設定されていることを特徴とするものである。
【００１２】
本発明によれば、下部ハウジングの共通化が可能になり、生産効率の向上、ひいては生産コストの削減が達成されると共に、本来引出式排紙スタッカの引出側後端部の保持を目的とする後端保持部に対して排紙ローラから排紙された用紙先端の開閉式排紙スタッカ上への移送案内作用が付加され、部品の有効利用にも貢献する。
【００１３】
また、本願請求項２に記載の排紙スタッカの保持ケーシングは、請求項１において、前記保持ケーシングに開閉式排紙スタッカを取り付けた場合には前記後端保持部は開閉式排紙スタッカの回動基端部より幾分上流側の位置に設けられていることを特徴とするものである。
本発明によれば、開閉式排紙スタッカの回動動作に何らの支障を来たすことなく、開閉式排紙スタッカ上への用紙の移送案内作用が後端保持部によって達成される。
【００１４】
また、本願請求項３に記載の排紙スタッカの保持ケーシングは、請求項１または２において、前記保持ケーシングに引出式排紙スタッカを取り付けた場合には前記開閉式排紙スタッカの回動基端部を保持する回動基端保持部は引出式排紙スタッカの側端面より幾分外方の位置に設けられていることを特徴とするものである。
本発明によれば、引出式排紙スタッカの引出動作に何らの支障を来たすことなく、回動基端部を下部ハウジングに設けることが可能となる。
【００１５】
また、本願請求項４に記載の排紙スタッカの保持ケーシングは、請求項１〜３のいずれか１項において、前記開閉式排紙スタッカ及び引出式排紙スタッカの最大伸長時におけるスタッカ先端の高さ位置はほぼ同じになるように設定されていることを特徴とするものである。
本発明によれば、引出式排紙スタッカと開閉式排紙スタッカのいずれを装着した場合であっても、印刷後の用紙が排紙ローラによって排紙される過程で、用紙の後端側が印刷ヘッドに接触しないように用紙の先端側が少し高い位置になるように姿勢設定するという排紙スタッカの作用が達成される。
【００１６】
また、本願請求項５に記載の排紙スタッカの保持ケーシングは、請求項１〜４のいずれか１項において、前記開閉式排紙スタッカの使用時における取付角度は、回動基端部に当接する角度設定ストッパの作用位置を可変にすることによって調節自在に設定されていることを特徴とするものである。
本発明によれば、印刷品質や機種毎異なる用紙の搬送スピード等に対応して開閉式排紙スタッカの使用時における取付角度を適宜調節することが可能となる。また下部ハウジングの共通性もそのまま維持される。
【００１７】
また、本願請求項６に記載の排紙スタッカの保持ケーシングを備えた記録装置は、給紙部と排紙部と実質的な記録作用をするプリンタ本体とを備える記録装置であって、前記プリンタ本体のハウジングの一部を構成する下部ハウジングに対して前記請求項１〜５のいずれか１項に記載の保持ケーシングを適用したことを特徴とするものである。
本発明によれば、プリンタ本体の下部ハウジングの共通化が可能になり、生産効率の向上を通じて生産コストの削減が達成される。また製品のシリーズ化に不可欠なデザインの統一化も容易になる。
【００１８】
【発明の実施の形態】
以下、本願発明の実施の形態を図面に基づいて説明する。図１は、本発明に係る排紙スタッカの保持ケーシングをプリンタ本体の下部ハウジングに適用し、開閉式排紙スタッカを装着した状態を示すインクジェットプリンタ１の斜視図である。図２は同インクジェットプリンタ１の側断面図である。
尚、本明細書において「前方」あるいは「下流」とは、インクジェットプリンタ１から印刷後の用紙が排紙されていく方向をいい、「後方」あるいは「上流」とはこれと反対の方向をいうものとする。
【００１９】
インクジェットプリンタ１は、装置本体たるプリンタ本体３の後方上部に給紙部５を備え、プリンタ本体３の前方に排紙部７を備えるという概略構成を備えている。図２に示す如く、給紙部５には、複数枚の用紙を積載可能な給紙トレイ１１を備え、給紙トレイ１１には、使用する用紙が長尺である場合に必要に応じて使用可能なペーパーサポート１２が設けられている。また給紙トレイ１１には、使用する用紙の幅に応じて給紙方向と直交する方向（主走査方向）に移動可能なエッジガイド１４を備えている。
【００２０】
給紙トレイ１１の最上部に位置する用紙は、給紙トレイ１１の直ぐ下流側に設けられた給紙ローラ１３の外周面が摩擦接触することで、対向する分離パッドとの協働により１枚の用紙だけを送り出す作用を担う。給紙トレイ１１から送り出された用紙は、プリンタ本体３に設けられる下側の紙送り駆動ローラ１５と上側の紙送り従動ローラ１７とから構成される紙送りローラ１９に至り、駆動系により印刷工程における精密な紙送り動作を受けながら、紙送りローラ１９の下流側に位置する印刷ヘッド２１へ給紙される。
【００２１】
印刷ヘッド２１は、キャリッジ２３に支持されており、キャリッジ２３は主走査方向（プリンタ本体３の幅方向）へ往復運動できるようになっている。
印刷ヘッド２１と対向する位置にはプラテン２５が設けられており、該プラテン２５は、印刷ヘッド２１によって用紙に印刷を行う際に、用紙を下側から支持する作用を担う。
【００２２】
印刷ヘッド２１とプラテン２５との距離、即ちペーパーギャップは、印刷ヘッド２１を支持するキャリッジ２３を上下動させることにより、用紙の厚さに応じて適宜調節できるようになっている。ペーパーギャップが適正に調整されている状態で、用紙はプラテン２５上を滑らかに通過しながら、高品質の印刷が行なわれるようになっており、印刷ヘッド２１で印刷された用紙は、排紙部７に設けられる排紙ローラ２７によって順次排出される。排紙ローラ２７は、下側の排紙駆動ローラ２９及び上側の排紙ギザローラ３１から構成されており、用紙が排紙駆動ローラ２９の回転駆動により引き出されて排出される機構となっている。
【００２３】
このようなインクジェットプリンタ１において、本発明では図３〜６に示す如く、プリンタ本体３の外郭部材の一部である下部ハウジング３３に対して特徴的構成を有している。
図３は下部ハウジング３３に対して開閉式排紙スタッカ３５を装着した場合の使用状態を示す斜視図、図４は同収納状態（ａ）及び使用状態（ｂ）を比較して示す側断面図である。
【００２４】
開閉式排紙スタッカ３５は、排紙ローラ２７の下流側の幾分離れた位置に設けられており、やや肉厚の矩形平板状のスタッカ本体３７に対して先端側に更に伸長する延長スタッカ３９を入れ子状に設けて成るものである。
スタッカ本体３７の回動基端部４１の左右の側端面には外方に向けて突出する回動軸４３が設けられており、下部ハウジング３３に対して設けられている回動基端保持部４５によって保持され、回動軸４３を回動中心としてプリンタ本体３の前面を覆う収納時の起立位置と、水平近くになるまで前方に倒伏される使用時の倒伏位置との間で回動し得る構成になっている。
【００２５】
スタッカ本体３７の回動基端部４１の上流側には後述する引出式排紙スタッカ５１における引出側後端部５５を保持する後端保持部４７が設けられている。　この後端保持部４７の天面は、排紙ローラ２７とスタッカ本体３７における回動基端部４１との間に形成される空隙部を埋め、排紙ローラ２７から排紙される用紙がスタッカ本体３７上へ円滑に移送されるよう案内する移送案内面としての役割を有している。
【００２６】
これに伴い、後端保持部４７の天面の高さ位置は、使用時におけるスタッカ本体３７の回動基端部４１の上面の高さ位置より低くならないように設定されている。本実施の形態では、図４に示す如く、後端保持部４７の天面の高さ位置を幾分高めに設定し、例えば用紙先端が下方にカールしているような場合であっても常に円滑にスタッカ本体３７上へ移送ができるようになっている。
【００２７】
回動基端保持部４５の後方には、開閉式排紙スタッカ３５の使用時における取付角度を設定する角度設定ストッパ４９が設けられている。この角度設定ストッパ４９に対して、スタッカ本体３７の回動基端部４１が当接することによって、延長スタッカ３９を一杯に引き出した最大伸長時のスタッカ先端の高さＨが定まり、前述した用紙後端のヘッドこすれの問題を回避している。
【００２８】
尚、上記回動基端保持部４５及び角度設定ストッパ４９は後述する引出式排紙スタッカ５１の側端面より幾分外方の位置に設けられており、これにより部材間の干渉を防止し、引出式排紙スタッカ５１の引き出しを可能にしている。
【００２９】
図５は下部ハウジング３３に対して引出式排紙スタッカ５１を装着した場合の使用状態を示す斜視図、図６は同収納状態及び使用状態を比較して示す側断面図である。
引出式排紙スタッカ５１は、下部ハウジング３３に形成されている案内レール５３によって保持案内され、下流側に向けて引き出されるように構成される肉薄の平板状部材である。
【００３０】
また引出式排紙スタッカ５１は、図６に示す如く、引出時に先端が高くなるように幾分湾曲した形状を有しており、引出式排紙スタッカ５１を一杯に引き出した最大伸長時のスタッカ先端の高さｈは前記開閉式排紙スタッカ３５のスタッカ先端の高さＨとほぼ同じ高さになるように設定されている。
【００３１】
また排紙ローラ２７の下流側には前述した後端保持部４７が設けられており、この後端保持部４７の底部が引き出された状態の引出式排紙スタッカ５１の引出側後端部５５に当接することで引出式排紙スタッカ５１の引出側先端部にかかる負荷による引出式排紙スタッカ５１の傾倒を防止している。
【００３２】
この他、図示及び詳細は省略するが前記開閉式排紙スタッカ３５における延長スタッカ３９及び引出式排紙スタッカ５１には引出量を設定するストッパ等が適宜設けられている。
【００３３】
本発明の排紙スタッカの保持ケーシングは以上述べた構成を備えるものであり、この保持ケーシングをインクジェットプリンタ１における下部ケーシング３３に適用した場合の作動状態について以下説明する。
【００３４】
（ｉ）開閉式排紙スタッカを装着した場合（図３、図４参照）
収納時において、プリンタ本体３の前面開口部を閉鎖するため起立位置にあったスタッカ本体３７を使用時には手前に倒し、回動基端部４１が角度設定ストッパ４９に当接するまで倒伏させ、更に延長スタッカ３９を手前に引き出す。
【００３５】
このような状態で排紙ローラ２７から用紙が排紙されると、その用紙は、後端保持部４７の天面によって案内されてスタッカ本体３７上へ円滑に移送される。また移送が進み、用紙の後端が印刷ヘッド２１に差し掛かった状態でもスタッカ本体３７の傾斜によって用紙後端は下方に向くように姿勢設定されているからヘッドこすれ等の問題は生じない。
【００３６】
（ｉｉ）引出式排紙スタッカを装着した場合（図５、図６参照）
収納時において、下部フランジ３３内に収容されていた引出式排紙スタッカ５１を使用時には手前に引き出し、図示しないストッパが下部ハウジング３３の所定の部位に当接するまで一杯に引き出した状態にする。
【００３７】
この際、引出式排紙スタッカ５１の側縁部は案内レール５３によって摺動自在に保持されており、この案内レール５３及び引出式排紙スタッカ５１の湾曲形状によってスタッカ先端が幾分高く、引出側後端部５５が幾分低くなるように位置設定されていて、引出側後端部５５は後端保持部４７の底部によって保持されている状態になっている。
【００３８】
このような状態で排紙ローラ２７から用紙が排紙されると、その用紙は前記開閉式排紙スタッカ３５を装着した場合と同様、後端保持部４７の天面によって案内されて引出式排紙スタッカ５１上へ円滑に移送される。また移送が進み、用紙の後端が印刷ヘッド２１に差し掛かった状態でも湾曲した引出式排紙スタッカ５１に当接することによって、用紙後端は下方に向くように姿勢設定されているからヘッドこすれ等の問題は生じない。
【００３９】
次に、本発明の他の実施の形態について説明する。図７は開閉式排紙スタッカ３５の使用時における取付角度を調節自在にするための種々の実施の形態を示す説明図である。
即ち、前述の実施の形態では角度設定ストッパ４９は、下部ハウジング３３の一部として一体に設けられていたのに対し、本実施の形態では下部ハウジング３３とは別体に角度設定ストッパ４９を設けるようにしている。
【００４０】
このうち図７（ａ）は、角度設定ストッパ４９の取付角度を適宜調節した後、固定ネジ５７を締め付けることによって下部ハウジング３３に固定するようにした実施の形態を示している。また図７（ｂ）は、角度調節ネジ５９の締め付け具合を調節することによって角度調節ストッパ４９の取付角度を調節するようにした実施の形態を示している。
【００４１】
また図７（ｃ）は、ストッパの作用位置を異ならせた複数の突起６１をスリーブ状の保持体６３の周面に設け、この保持体６３を下部ハウジング３３から立ち上げられた支持ポスト６５に対して回転可能な状態で装着したものである。この他、図示は省略するがラチェット機構等を使用して段階的に角度調節ストッパ４９の取付角度を調節できるような構造を採用することも可能である。
【００４２】
【発明の効果】
本発明によれば、下部ハウジングの共通化が可能になり、生産効率の向上、ひいては生産コストの削減が達成されると共に、また引出側後端部の天面が用紙の移送案内作用を行なうから円滑な用紙の移送が図れ、部品の有効利用も達成される。加えて製品のシリーズ化に不可欠なデザインの統一化も容易になる。
【図面の簡単な説明】
【図１】本発明に係る排紙スタッカの保持ケーシングをプリンタ本体の下部ハウジングに適用し、開閉式排紙スタッカを装着した状態を示すインクジェットプリンタの斜視図である。
【図２】同インクジェットプリンタの側断面図である。
【図３】本発明に係り、下部ハウジングに対して開閉式排紙スタッカを装着した場合の使用状態を示す斜視図である。
【図４】本発明に係り、同（ａ）は収納状態を示す側断面図、（ｂ）は使用状態を示す側断面図である。
【図５】本発明に係り、下部ハウジングに対して引出式排紙スタッカを装着した場合の使用状態を示す斜視図である。
【図６】本発明に係り、同（ａ）は収納状態を示す側断面図、（ｂ）は使用状態を示す側断面図である。
【図７】本発明に係り、角度設定ストッパの作用位置を調節自在にした種々の実施の形態を示す説明図である。
【図８】引出式排紙スタッカを装着した従来のインクジェットプリンタの使用状態を示す側断面図である。
【符号の説明】
１　インクジェットプリンタ
３　プリンタ本体
５　給紙部
７　排紙部
１９　紙送りローラ
２１　印刷ヘッド
２３　キャリッジ
２５　プラテン
２７　排紙ローラ
３３　下部ハウジング
３５　開閉式排紙スタッカ
３７　スタッカ本体
３９　延長スタッカ
４１　回動基端部
４３　回動軸
４５　回動基端保持部
４７　後端保持部
４９　角度設定ストッパ
５１　引出式排紙スタッカ
５３　案内レール
５５　引出側後端部
５７　固定ネジ
５９　角度調節ネジ
６１　突起
６３　保持体
６５　支持ポスト
Ｈ　スタッカ先端の高さ
ｈ　スタッカ先端の高さ
【図１】
2004059214.tif 000003
【図２】
2004059214.tif 000004
【図３】
2004059214.tif 000005
【図４】
2004059214.tif 000006
【図５】
2004059214.tif 000007
【図６】
2004059214.tif 000008
【図７】
2004059214.tif 000009
【図８】
2004059214.tif 000010